(57)【要約】      （修正有）【課題】咄嗟のシャッタチャンスに電源が投入されその電源投入とほぼ同時に撮影が行なわれたときにシャッタチャンス優先の撮影が確実に行なわれるとともに、その後になってからも続けて撮影が行なわれるような場合においては手ぶれ補正が行なわれるようになる撮影装置を提供する。【解決手段】電源スイッチを兼ねるカバー１０ａを開けたと同時にシャッタボタン１２が押されて撮影が行なわれた場合には、手ぶれ補正を禁止する処理が内部のＣＰＵにより行なわれる。さらにカバー１０ａを開けたまま、撮影が続行されるような場合には、電源スイッチが投入された後所定時間の経過によりＣＰＵがその禁止を解除して手ぶれ補正レンズに好適な手ぶれ補正を実施させる。【選択図】図１
2007049407.tif 000002
【特許請求の範囲】
【請求項１】
撮影レンズで撮像素子に被写体を結像させて該被写体を表わす画像データを生成する撮影装置において、
手ぶれ補正手段と、
この撮影装置を動作状態にするための電源スイッチと、
前記電源スイッチが投入された時点を起点とした経過時間を計測する計時手段と、
前記計時手段により計測された経過時間が所定の時間以内であると判定した場合には、手ぶれ補正手段による手ぶれ補正動作を禁止する制御手段とを備えたことを特徴とする撮影装置。
【請求項２】
撮影レンズで撮像素子に被写体を結像させて該被写体を表わす画像データを生成する撮影装置において、
手ぶれ補正手段と、
手ぶれを補正するか否かを選択する手ぶれ補正選択スイッチと、
この撮影装置を動作状態にするための電源スイッチと、
前記電源スイッチが投入された時点を起点とした経過時間を計測する計時手段と、
前記計時手段により計測された経過時間が所定の時間以内であると判定した場合には、前記手ぶれ補正選択スイッチが手ぶれを補正する側に切り替えられていた状態にあっても前記手ぶれ補正手段による手ぶれ補正動作を禁止する制御手段とを備えたことを特徴とする撮影装置。
【発明の詳細な説明】
【技術分野】
【０００１】
本発明は、撮影レンズで撮像素子に被写体を結像させて該被写体を表わす画像データを生成する撮影装置に関する。
【背景技術】
【０００２】
デジタルカメラには手ぶれ補正機能が備えられているものが多く、その手ぶれ補正機能を精度良く働かせることができるように手ぶれ検出に角速度センサが用いられているものが多い。
【０００３】
この角速度センサは、電源を投入してから安定動作状態に達するまでに少々時間を要することが知られている。このため、角速度センサを撮影装置に搭載した場合には、電源を投入したのとほぼ同時にその撮影装置で撮影が行なわれるようなことがあったときには適正な手ぶれ補正が行なわれないという問題が出てくる。ここでいう電源投入直後に撮影が行なわれるというケースは、大抵、咄嗟のシャッタチャンスに撮影者が撮影を行なおうとする場合である。
【０００４】
そこで、このような問題に対処することができるようにと、シャッタボタンを２つ設けて一方を手ぶれ補正実施用のシャッタボタンとして、他方を手ぶれ補正を実施しないシャッタボタンとして用いることができるようにしておいて、電源投入直後に撮影を行なうような場合には、手ぶれ補正を行なわない側のシャッタボタンを押すことを撮影者に対し推奨するような撮影装置が提案されている（例えば特許文献１参照）。また、ぶれ補正を行なわないことを選択した場合には、シャッタボタンの半押し状態の中断が無ければ、ぶれ補正が行なわれないようにしているものもある（例えば特許文献２参照）。
【０００５】
また、このような手ぶれ補正を行なうデジタルカメラの中には、デジタルカメラ内のＤＣ／ＤＣコンバータからのノイズが上記角速度センサや補正レンズを駆動するためのアクチュエータに悪影響を及ぼさないようにするために手ぶれ補正を行なうときにだけＤＣ／ＤＣコンバータに代えてコンデンサ（スイッチノイズがない）から角速度センサを含むセンサやアクチュエータに電力を供給させるようにして手ぶれ補正の精度を上げようとしているものもある（例えば特許文献３参照）。
【０００６】
ところで、現在市場に出回っているデジタルカメラは、電池の寿命を延ばすためにオートパワーオフ機能が搭載されているものが多い。このため、シャッタチャンスに電源を投入するとほぼ同時にシャッタボタンを押して撮影を行なおうとする撮影状況が多々発生する。このようなデジタルカメラにあっては、そのような撮影状況のときに上記角速度センサの検出結果に応じて手ぶれ補正が行なわれてしまうと上記理由により適正な撮影が行なわれなくなってしまう。
【０００７】
上記特許文献１のもののようにシャッタボタンを２つ設けることで上記問題は解決されるが、この特許文献１の技術を用いると２つのシャッタボタンのうちのいずれかを咄嗟に選択する必要が出てきて誤ってぶれ補正を行なう側のシャッタボタンを押してしまう危険性が出てくる。また特許文献２のもののように手ぶれ補正を行なわないことが選択されている場合には、一気押しすることでぶれ補正は行なわれなくなるが、もしもぶれ補正を行なわないことを選択し忘れてしまうようなことがあると手ぶれ補正が行なわれてしまう。
【特許文献１】特開平７−３０１８４０号公報
【特許文献２】特開平８−２２７０８８号公報
【特許文献３】特開平９−０８０５０９号公報
【発明の開示】
【発明が解決しようとする課題】
【０００８】
本発明は、上記事情に鑑み、咄嗟のシャッタチャンスに電源が投入されその電源投入と同時に撮影が行なわれたときにはシャッタチャンス優先の撮影処理が確実に行なわれるとともに、その後になってからも続けて撮影が行なわれるような場合においては撮影状況に応じた撮影処理が確実に行なわれるようになる撮影装置を提供することを目的とする。
【課題を解決するための手段】
【０００９】
上記目的を達成する本発明の第１の撮影装置は、撮影レンズで撮像素子に被写体を結像させてその被写体を表わす画像データを生成する撮影装置において、
手ぶれ補正手段と、
この撮影装置を動作状態にするための電源スイッチと、
上記電源スイッチが投入された時点を起点とした経過時間を計測する計時手段と、
上記計時手段により計測された経過時間が所定の時間以内であると判定した場合には、手ぶれ補正手段による手ぶれ補正動作を禁止する制御手段とを備えたことを特徴とする。
【００１０】
上記本発明の第１の撮影装置によれば、上記制御手段によって上記計時手段により計測された経過時間が所定の時間以内であると判定された場合には手ぶれ補正動作が禁止される。
【００１１】
そうすると、咄嗟のシャッタチャンスに電源が投入されその電源投入とほぼ同時に撮影が行なわれたときには手ぶれ検出手段がまだ安定動作状態になっていないことを考慮して上記制御手段により上記手ぶれ補正手段での手ぶれ補正が禁止されシャッタチャンス優先の撮影処理が確実に行なわれるようになる。さらに上記制御手段によって上記計時手段の計測による経過時間が所定の時間を越えていると判定された場合には、その制御手段の制御の基、撮影時の手ぶれが上記手ぶれ補正手段により補正されてぶれのない鮮明な画像が得られるようにもなる。
【００１２】
このように咄嗟のシャッタチャンスに電源スイッチが投入され、その電源投入とほぼ同時に撮影が行なわれたときにはシャッタチャンス優先の撮影処理が確実に行なわれるとともに、その後になってからも続けて撮影が行なわれるような場合においては撮影状況例えば手ぶれの発生状況に応じた撮影処理が確実に行なわれるようになる撮影装置が実現する。
【００１３】
上記目的を達成する本発明の第２の撮影装置は、撮影レンズで撮像素子に被写体を結像させてその被写体を表わす画像データを生成する撮影装置において、
手ぶれ補正手段と、
手ぶれを補正するか否かを選択する手ぶれ補正選択スイッチと、
この撮影装置を動作状態にするための電源スイッチと、
上記電源スイッチが投入された時点を起点とした経過時間を計測する計時手段と、
上記計時手段により計測された経過時間が所定の時間以内であると判定した場合には、上記手ぶれ補正選択スイッチが手ぶれを補正する側に切り替えられていた状態にあっても上記手ぶれ補正手段による手ぶれ補正動作を禁止する制御手段とを備えたことを特徴とする。
【００１４】
上記本発明の第１の撮影装置では、上記制御手段が常時手ぶれ補正を行なうものであるため、上記電源スイッチを投入するとほぼ同時にシャッタボタンを押して撮影を行なおうとしているときには撮影が確実に行なわれるようにするために手ぶれ補正動作を禁止したが、上記本発明の第２の撮影装置のように手ぶれ補正選択スイッチが配備されているものであった場合にはその手ぶれ補正選択スイッチが否側に切り替えられていれば何の問題もない。
【００１５】
しかしこの第２の撮影装置を扱うユーザにあっては、電源断操作を行なう前に上記補正選択スイッチを否側に切り替えるのを忘れて、シャッタチャンスに電源を投入するとほぼ同時に咄嗟の撮影を行なってしまうようなことが起こり得る。
【００１６】
そこで、本発明の上記第２の撮影装置では、その補正選択スイッチが補正する側に切り替えられていた状態にあるときに、電源が投入されその電源投入と同時に撮影が行なわれたときには、上記制御手段により上記手ぶれ補正手段での手ぶれ補正が禁止されシャッタチャンス優先の撮影処理が確実に行なわれるようにしている。
【００１７】
このようにすると、撮影者が上記補正選択スイッチを切り替えることによりこの第２の撮影装置を咄嗟のシャッタチャンスに対応することができるようにすることも、また撮影者がその補正選択スイッチを切り替えることを忘れたときには撮影装置自身がその状態を自動的に検知してシャッタチャンスに対応して確実な撮影処理を行なうこともできるようにもなる。
【発明の効果】
【００１８】
以上、説明したように、咄嗟のシャッタチャンスに電源が投入されその電源投入とほぼ同時に撮影が行なわれたときにはシャッタチャンス優先の撮影処理が確実に行なわれるとともに、その後になってからも続けて撮影が行なわれるような場合においては撮影状況に応じた撮影処理が確実に行われるようになる撮影装置が実現する。
【発明を実施するための最良の形態】
【００１９】
以下、本発明の実施の形態について説明する。
【００２０】
図１は本発明の一実施形態であるデジタルカメラ１の外観を示す図である。
【００２１】
図１（ａ），図１（ｂ）に示すデジタルカメラ１には電源スイッチを兼ねるスライド自在なカバー１０ａが備えられていて、そのカバー１０ａが図の向かって右側にスライドされると対物レンズ１００１が覆われるとともに電源スイッチがオフされ、左側にスライドされるとその対物レンズ１００１が姿を現すとともに電源スイッチがオンされる。
【００２２】
図１（ｂ）には、カバー１０ａが図の向かって左側にスライドされ対物レンズ１００１が表面に現われて電源スイッチがオンされ撮影準備が整えられた状態が示されている。
【００２３】
図１（ａ），図１（ｂ）に示すデジタルカメラ１の内部には、前方から向かう第１の光軸に沿って対物レンズ１００１を経由して入射してきた被写体光を上下方向に延びる第２の光軸に沿う方向に反射して後述するＣＣＤ固体撮像素子（以降ＣＣＤという）上に結像させる屈曲光学系が備えられている。この屈曲光学系１０００には手ぶれ補正用の補正レンズが組み込まれている。また、カメラ上面にはシャッタボタン１２が備えられている。
【００２４】
図２は、図１のデジタルカメラが備える屈曲光学系１０００の構成を示す図であり、図３は、手ぶれ補正レンズを含む手ぶれ補正手段の概略の構成を示す図である。
【００２５】
図２に示すように屈曲光学系内に手ぶれ補正レンズ１００４が組み込まれている。ここではズームレンズ１００３とフォーカスレンズ１００５の間に補正レンズが配置されている。
【００２６】
この手ぶれ補正レンズ１００４は、図３に示すように、水平面上であって第１の光軸と平行な方向に移動自在に保持する第１のホルダ１００４１と、その第１のホルダ１００４１を、水平面上であって上記第１の光軸に垂直な第２の光軸に平行な方向に移動自在に保持する第２のホルダ１００４２とに保持されている。
【００２７】
第１のホルダ１００４１と第２のホルダ１００４２は、それぞれ一端側が折り曲げられて折曲部が構成されていてそれらの折曲部に電磁コイル１００４１１，１００４２１がそれぞれ設けられている。これらの折曲部の電磁コイル１００４１１，１００４２１を両側から挟みこむようにしてコの字型のヨーク１００４１ａ，１００４２ａがそれぞれ配設されている。またこれらのコの字型のヨーク１００４１ａ，１００４２ａの一方の端部側の内壁面にはそれぞれマグネット１００４１１ａ，１００４２１ａが添着されている。したがって上記電磁コイル１００４１１，１００４２１に電流が流されると、それらの電磁コイル１００４１１，１００４２１とマグネット１００４１１ａ，１００４２１ａとの間に引力あるいは斥力が働いて補正レンズ１００４の位置が調整される。
【００２８】
図４は、図１に示すデジタルカメラ１の内部構成を示すブロック図である。
【００２９】
図４に示すようにこのデジタルカメラ１の動作は統括的にＣＰＵ１００により制御されている。このＣＰＵ１００は、ＲＯＭ１０１内に格納されているプログラムにしたがってこのデジタルカメラ１全体の一連の動作を制御している。ＣＰＵ１００は、一連の動作に係る処理を行っている最中にあっては、処理に応じて作業領域であるＲＡＭ１０２上で変数の書き換えなどを行なって適宜、適切な処理を行なうようにしている。
【００３０】
このＣＰＵ１００の入力側には、カバー１０ａと連動して作動する電源スイッチ１１ａが接続されており、この電源スイッチ１１ａが投入されると電源が投入されたことがＣＰＵ１００によって検知される。
【００３１】
本実施形態のデジタルカメラ１においては、ＣＰＵ１００によって電源スイッチ１１ａが投入されたことが検知されたときにスルー画処理プロセスが起動され表示画面（不図示）上に被写体像が表示されるようになっている。
【００３２】
ここでスルー画信号を表わす画像信号の流れに沿って図２に示す構成および各部の動作を簡単に説明する。
【００３３】
本実施形態のデジタルカメラが備える屈曲光学系には、図２に示したように対物レンズ１００１、プリズムを介してズームレンズ１００３、また補正レンズ１００４、さらにフォーカスレンズ１００５が備えられている。これらのレンズでＣＣＤ１１０上に被写体光を結像させる。その屈曲光学系の中のフォーカスレンズ１００５を合焦点に配置するにあたっては、後段のＡＦ（ＡｕｔｏＦｏｃｕｓ）部１２０での測距結果をＣＰＵ１００が受けてそのＣＰＵ１００からのに指示に基づいてドライバ１００５ａによりフォーカスレンズ１００５が常に駆動されるようになっている。このようにしておくといつもピントのあった被写体光がＣＣＤ１１０に結像されて、ＣＰＵ１００の制御の基、図示しないクロックジェネレータから所定の時刻ごとにタイミング信号が供給されてくる度にそのピントのあった被写体光を表わす画像信号（以降スルー画信号という）がＣＣＤ１１０から次々と出力される。また、ＣＰＵ１００は、ＡＥ（ＡｕｔｏＥｘｐｏｓｕｒｅ）・ＡＷＢ（Ａｕｔｏ  Ｗｈｉｔｅ  Ｂａｌａｎｃｅ）部１２１の測光結果によって図示しない駆動部に絞りの開口径を調節させたり、図示しない補助光発光部から撮影補助光を発光させたりしている。
【００３４】
このようにしてＣＣＤ１１０からスルー画信号がＣＤＳＡＭＰ１１１に次々と出力されそのＣＤＳＡＭＰ１１１によってノイズが低減されて後段のＡ／Ｄ変換部１１２にそのノイズが低減されたスルー画信号が供給される。このＡ／Ｄ変換部１１２ではノイズが低減されたスルー画信号をデジタル信号に変換する処理が行なわれる。
【００３５】
このＡ／Ｄ変換部１１２でデジタル信号に変換されたスルー画信号がデータ入力部１１３によりバス１３０に導かれる。
【００３６】
このバス１３０に導かれたスルー画信号がバス１３０を経由して信号処理部１１４に供給され、この信号処理部１１４によってＲＧＢからなるスルー画信号がＹ（輝度信号）とＣ（クロマ信号）とからなるスルー画信号に変換され、変換されたＹＣ信号がさらに表示部１１７に供給される。この表示部１１７によってそのＹＣ信号に基づく画像が表示画面上に表示される。ここでは上記したようにクロックジェネレータからのタイミング信号に次々とＣＣＤ１１０で生成されたスルー画信号が表示部１１７に供給されてくるので、表示部１１７によって所定の時刻ごとにスルー画信号が次々と切り替えられていって表示画面上にはあたかも対物レンズ１００１が捉えた被写体がそのままスルー画となって表示される。
【００３７】
このような構成であると、いつでもピントのあったスルー画が表示画面上に表示される。
【００３８】
ここで、そのピントのあったスルー画を見ながらシャッタボタン１２が押されたら、ＣＰＵ１００によって撮影処理が開始される。この撮影処理を説明する前にシャッタボタン１２の押し操作により発生する可能性のある手ぶれを補正する手ぶれ補正手段の構成を簡単に説明しておく。
【００３９】
本実施形態のデジタルカメラ１においては、図２で説明したように屈曲光学系に補正レンズ１００４が組み込まれていてその補正レンズ１００４が２次元的に駆動されることにより手ぶれ補正が行なわれるようになっている。図４には、簡単のため、補正部１００４ａにより矢印の方向に補正レンズ１００４が駆動されて一次元的に補正が行なわれることが示されているが、実際にはこの補正レンズ１００４が図２で説明した電磁コイル（１００４１１又は１００４２１）とマグネット（１００４１１ａ又は１００４２１ａ）とを備えた補正部１００４ａによって２次元的に駆動されて精度の良い手ぶれ補正が行なわれるようになっている。
【００４０】
また図２の例では、二軸の角速度センサ１４０を設けて補正部１００４ａに補正レンズ１００４を的確に駆動させるようにしている。ここでは角速度センサ１４０からの検出信号に応じてＣＰＵ１００が補正部１００４ａに指示してその補正部１００４ａに手ぶれを打ち消すように補正レンズ１００４を駆動させるようにしている。
【００４１】
このような構成を持つデジタルカメラ１のシャッタボタン１２が押されるとＣＰＵ１００がそのシャッタボタン１２の操作を受けて撮影処理を開始する。この例ではＣＰＵ１００がシャッタボタン１２からの操作信号を受けてタイミングジェネレータ（不図示）を制御して露光開始信号をＣＣＤ１１０に供給させ、所定のシャッタ秒時後に今度は露光終了信号をＣＣＤ１１０に供給させることにより、ＣＣＤ１１０にシャッタボタン操作時の撮影画像を生成させて生成させた画像信号を後段のＣＤＳＡＭＰ１１１へ出力させている。このように露光終了信号に同期して画像信号がＣＤＳＡＭＰ１１１に出力されたら、ＣＤＳＡＭＰ１１１でノイズの低減処理が行なわれ、ノイズの低減処理が行なわれた画像信号がＡ／Ｄ変換部１１２に供給されデジタル信号に変換される。このデジタル信号に変換された画像信号が、データ入力部１１３によってバス１３０に導かれてメモリ１５０に一旦記憶される。ＣＣＤ１１０からの画像信号の出力が終了してすべての画像信号がメモリ１５０に記憶されたら、ＣＰＵ１００は、今度はメモリ１５０から画像信号を読み出してバス１３０を介して信号処理部１１４にその画像信号を供給する。信号処理部１１４に変換処理を行なわせたら、今度はその画像信号を圧縮・伸張部１１５に供給し圧縮・伸張部１１５に圧縮を行なわせて圧縮画像データと圧縮情報とからなる画像ファイルを生成させる。そしてＣＰＵ１００は記録部１１６に指示してその画像ファイルをメモリカードなどの記録媒体に記録させる。
【００４２】
本実施形態のデジタルカメラにおいては、図１に示すように電源スイッチをカバー１０ａの開閉操作に連動して動作するようにして、咄嗟のシャッタチャンスにおいてもすぐに撮影を行なうことができるようにしている。このような構成になっているデジタルカメラを使ってカバー１０ａを開けて咄嗟に撮影を行なうとしたときに前述の手ぶれ補正が行なわれてしまうと、検出精度に不安の残る角速度センサの検出結果に応じて手ぶれ補正が行なわれてしまうため失敗撮影になってしまう可能性がある。
【００４３】
そこで、本実施形態においてはＣＰＵ１００が、カバー１０ａの開操作により電源が投入されたときに内部のタイマを作動させて、電源が投入された時点を起点として所定の経過時間以内にシャッタボタンが押されたと判定したら、手ぶれ補正動作を禁止して補正部１００４ａに補正レンズ１００４を駆動させないようにしている。このようにしておくと、角速度センサの検出結果に応じてぶれ補正を行なうことがなくなり、撮影の失敗がなくなってシャッタチャンスを逃す恐れがなくなる。
【００４４】
なお、本実施形態のデジタルカメラ１においては、元々高感度のＣＣＤ１１０を用いてシャッタスピードを通常よりも速くすることによって比較的手ぶれの影響を抑制するようにしておいてさらに補正レンズによる補正を行なってより精度の高い手ぶれ補正を行なおうとしている。このため、カバーを開けたと同時にシャッタボタンを押して撮影を行なったときに手ぶれ補正を禁止する処理を行なったとしてもよほどのことがない限り、さほどぶれた画像が得られないようになっている。
【００４５】
さらにカバーを開けた状態にして続けて撮影が行なわれるときにはじっくりと撮影が行なわれることが多く、シャッタチャンスを気にするような撮影が少ないとして角速度センサ１４０の検出に応じて手ぶれ補正を行なうようにもしてある。
【００４６】
このようにシャッタチャンスを優先させて撮影を行なうことを、カバーを開けたと同時にシャッタボタンを押すという操作が行われたことをもってＣＰＵが検知することができるようにして手ぶれ補正を禁止する処理を行なうようにしておくと、カバーと電源スイッチとを連動させたこのデジタルカメラの特徴が最大限に発揮される。
【００４７】
以上説明したように、咄嗟のシャッタチャンスに電源が投入され、電源投入と同時に撮影が行なわれたとしてもシャッタチャンス優先の撮影が確実に行なわれるとともに、その後になってからも続けて撮影が行なわれるような場合においては撮影状況（例えば被写界輝度条件などに応じて定められるシャッタ秒時の長さから手ぶれが発生する可能性が大であるとき等）に応じた撮影処理が確実に行なわれるようになる撮影装置が実現する。
【００４８】
図５は、第２実施形態を説明する図である。
【００４９】
図５には、図１に示した正面図に加えてデジタルカメラの背面図も示されている。
【００５０】
図５（ｃ）の背面図に示す手ぶれ補正選択スイッチ１６０が設けられている以外は図１の構成と同様である。
【００５１】
図６も手ぶれ補正選択スイッチ１６０がＣＰＵ１００の入力部に接続されている以外は図４の構成と同様である。
【００５２】
第１の実施形態のデジタルカメラ１では、角速度センサ１４０の検出結果に応じて撮影時に手ぶれ補正が常時行なわれるようになっている例を示したが、第２実施形態のデジタルカメラ１のように手ぶれ補正選択スイッチ１６０によって撮影者が手ぶれ補正を行なうか否かの判定を行なうことができるものもある。
【００５３】
この図５，図６に示す構成の場合には、手ぶれ補正スイッチ１６０が否側に切り替えられている状態にあれば、カバー１０ａを開けると同時にシャッタボタン１２が押され撮影が行なわれたとしても手ぶれ補正が行なわれないので全く問題はない。
【００５４】
しかしユーザがカバー１０ａを閉じて電源断処理を行なう前に手ぶれ補正スイッチ１６０を否側に切り替えるのをうっかり忘れてしまうと、カバー１０ａを開けたと同時にシャッタボタン１２を押してシャッタチャンスに撮影を行なおうとしたときに手ぶれ補正が行なわれてシャッタチャンスを逃してしまう恐れが出てくる。もしもユーザがカバー１０ａを開けようとしているときに手ぶれ補正選択スイッチ１６０のポジションに気付いてそのスイッチを否側に切り替えるようにすれば撮影を行なうことができないことはないが、一瞬のタイムラグによってシャッタチャンスを逃してしまう可能性が大きい。
【００５５】
そこで、本実施形態のデジタルカメラ１が備えるＣＰＵ１００は、タイマ１００ａにより電源が投入された時点を起点として経過時間を計時してその経過時間が所定の時間以内であると判定した場合には、その手ぶれ補正選択スイッチ１６０が補正する側に切り替えられていた状態にあっても補正部１００４ａによる手ぶれ補正動作を禁止するようにしている。
【００５６】
このようにしておくと、たとえ手ぶれ補正選択スイッチ１６０が手ぶれを補正する側に切り替えられていたとしてもシャッタチャンスに電源が投入されその電源投入とほぼ同時にシャッタボタンが押されて撮影が行なわれたとしても、手ぶれ補正が禁止されて失敗撮影になる危険性が著しく軽減されてシャッタチャンスを優先させた撮影が確実に行なわれるようになる。
【００５７】
また、第２実施形態のデジタルカメラのように手ぶれ補正選択スイッチを設けておくと、シャッタチャンス優先の撮影を行ないたいときには操作によりいつでも手ぶれ補正を行なわないようにすることもできる。
【００５８】
以上説明したように、咄嗟のシャッタチャンスに電源が投入されその電源投入とほぼ同時に撮影が行なわれたときにはシャッタチャンス優先の撮影が確実に行なわれるとともに、その後になってからも続けて撮影が行なわれるような場合においては撮影状況に応じた撮影処理が確実に行なわれるようになる撮影装置が実現する。
【図面の簡単な説明】
【００５９】
【図１】本発明の撮影装置の第１実施形態であるデジタルカメラを示す図である。
【図２】図１のデジタルカメラ１内部に配備された処理部の構成を示すブロック図である。
【図３】屈曲光学系の構成を説明する図である。
【図４】屈曲光学系に組み込まれた手ぶれ補正手段の構成を説明する図である。
【図５】本発明の撮影装置の第２実施形態であるデジタルカメラを示す図である。
【図６】図１のデジタルカメラ１内部に配備された処理部の構成を示すブロック図である。
【符号の説明】
【００６０】
１    デジタルカメラ
１０ａ    カバー
１２  シャッタボタン
１００    ＣＰＵ
１０００    屈曲光学系
１００１    対物レンズ
１００２    プリズム
１００３    ズームレンズ
１００４    補正レンズ
１００４ａ  補正部
１００４１  １００４２    ホルダ
１００４１１  １００４２１    電磁コイル
１００４１ａ  １００４２ａ    ヨーク
１００４１１ａ    １００４２１ａ    マグネット
１００５    フォーカスレンズ
１００５ａ    ドライバ
１１０    ＣＣＤ
１１１    ＣＤＳＡＭＰ
１１２    Ａ／Ｄ変換部
１１３    データ入力部
１１４    信号処理部
１１５    圧縮・伸張部
１１６    記録部
１１７    表示部
１２０    ＡＥ・ＡＷＢ部
１２１    ＡＦ部
１３０    バス
１４０    角速度センサ
１５０    メモリ
１６０    補正選択スイッチ
【図１】
2007049407.tif 000003
【図２】
2007049407.tif 000004
【図３】
2007049407.tif 000005
【図４】
2007049407.tif 000006
【図５】
2007049407.tif 000007
【図６】
2007049407.tif 000008